(57)【要約】      （修正有）【課題】布材など通気性の高い素材を用い、単体で使用するほか、別途ラック等を要さずに積み重ねて使用することもでき、かつ、不使用時には簡易な操作でコンパクトに折り畳むことができる収納ケースを提供する【解決手段】布材などの軟性の材質を有する素材からなり、畳んだ時には扁平になると共に、伸張状態では略直方体の内部空間を形成する被覆ケースと、被覆ケース内に装着されて被覆ケースを保形する枠体とからなり、枠体が、左右側辺と前後辺とによって四角形を構成し、被覆ケースの内側面の上端縁部内周に沿って装着される上フレームと、左右側辺に両端が枢支された上向きに開口したコの字形状で、上フレームの下面から下方向きまで回動可能である支持フレームと、左右側辺と前後辺とによって四角形を構成し、被覆ケースの内側面の底部内周に沿って配置される下フレームとを備える。【選択図】図１
0003140960.tif 000002
【実用新案登録請求の範囲】
【請求項１】
布材などの軟性の材質を有する素材からなり、畳んだ時には扁平になると共に、伸張状態では略直方体の内部空間を形成する被覆ケースと、
該被覆ケース内に装着されて該被覆ケースを保形する枠体とからなり、
該枠体が、
左右側辺と前後辺とによって四角形を構成し、前記被覆ケースの内側面の上端縁部内周に沿って装着される上フレームと、
前記左右側辺に両端が枢支された上向きに開口したコの字形状で、前記上フレームの下面から下方向きまで回動可能である支持フレームと、
左右側辺と前後辺とによって四角形を構成し、前記被覆ケースの内側面の底部内周に沿って配置される下フレームとを備えると共に、
Ｕの字状のフック部と、該Ｕの字の一方の上端から側方に向かって伸びる伸張部とが一体形成されてなるロック部材を備え、
該ロック部材は、前記Ｕの字状のフック部が前記下フレームの左右側辺に上向きに開口して固着されると共に、前記伸張部の先端が前記下フレームの前後辺に固着されて、前記下フレームの各コーナーを挟むように取り付けられ、
前記支持フレームを下方向きに回動したとき、前記支持フレームが前記伸張部と摺接した後、前記Ｕの字状のフック部に嵌合して固定されることを特徴とする収納ケース。
【請求項２】
前記被覆ケースが、
長方形又は正方形の底壁部と、該底壁部の四方を囲み形成される相対する左右の側壁部、前側壁部及び後側壁部と、該後側壁部上端に折り曲げ可能に連接した上壁部とからなると共に、前記上壁部と前記左右の側壁部及び前記前側壁部との接合部にはスライドファスナーなどの着脱手段が設けられ、前記上壁部が開閉可能であることを特徴とする請求項１に記載の収納ケース。
【請求項３】
前記前側壁部と前記左右の側壁部との接合部に着脱手段を設け、前記前側壁部を開閉可能としたことを特徴とする請求項２に記載の収納ケース。
【請求項４】
前記上フレームの内周寸法が前記下フレームの外周寸法よりも大きく形成され、前記被覆ケースの伸張状態における正面視が、上向漸拡開状のテーパに形成されていることを特徴とする請求項１乃至３のいずれかに記載の収納ケース。
【請求項５】
前記上フレームの各コーナーに、前記下フレームの各角部が載置される受部材が設けられ、上フレームの内側に下フレームが嵌り込む大きさとされていることを特徴とする請求項４に記載の収納ケース。
【考案の詳細な説明】
【技術分野】
【０００１】
本考案は、布材などの軟性の材質を有する素材からなる衣類などの収納ケースに係り、単体で使用するほか、積み重ねてラックのように使用することもでき、かつ、不使用時にはコンパクトに折り畳むことができる収納ケースに関する。
【背景技術】
【０００２】
衣類などを収納するケースとしては、一般にプラスチック製のものが使用されている。しかし、その多くはボックス状に固定されていて折り畳むことができず、不使用時にもかさばり保管に不便である。また、ケース内の通気性も悪く、カビの原因となる。
【０００３】
その他、皮製又は布製などで折り畳みが可能なものであっても、折り畳みと組み立ての操作が複雑であるうえ、軟性の材質ゆえに積み重ねて使用するには別途ラック等が必要となるなどの不都合があった。
【考案の開示】
【考案が解決しようとする課題】
【０００４】
本考案の目的は、布材などの通気性の高い素材を用い、単体で使用するほか、別途ラック等を要さずに積み重ねて使用することもでき、かつ、不使用時には簡易な操作でコンパクトに折り畳むことができる収納ケースを提供することにある。
【課題を解決するための手段】
【０００５】
上記目的を達成するため、本考案に係る収納ケースは、布材などの軟性の材質を有する素材からなり、畳んだ時には扁平になると共に、伸張状態では略直方体の内部空間を形成する被覆ケースと、該被覆ケース内に装着されて該被覆ケースを保形する枠体とからなり、該枠体が、左右側辺と前後辺とによって四角形を構成し、前記被覆ケースの内側面の上端縁部内周に沿って装着される上フレームと、前記左右側辺に両端が枢支された上向きに開口したコの字形状で、前記上フレームの下面から下方向きまで回動可能である支持フレームと、左右側辺と前後辺とによって四角形を構成し、前記被覆ケースの内側面の底部内周に沿って配置される下フレームとを備えると共に、Ｕの字状のフック部と、該Ｕの字の一方の上端から側方に向かって伸びる伸張部とが一体形成されてなるロック部材を備え、該ロック部材は、前記Ｕの字状のフック部が前記下フレームの左右側辺に上向きに開口して固着されると共に、前記伸張部の先端が前記下フレームの前後辺に固着されて、前記下フレームの各コーナーを挟むように取り付けられ、前記支持フレームを下方向きに回動したとき、前記支持フレームが前記伸張部と摺接した後、前記Ｕの字状のフック部に嵌合して固定される。
【０００６】
また、上記目的を達成するため、本考案に係る収納ケースは、前記上壁部と前記左右の側壁部及び前記前側壁部との接合部、及び、前記前側壁部と前記左右の側壁部との接合部にスライドファスナーなどの着脱手段を設けると共に、前記上フレームの内周寸法が前記下フレームの外周寸法よりも大きく形成され、前記被覆ケースの伸張状態における正面視が、上向漸拡開状のテーパに形成されているうえ、前記上フレームの各コーナーに、前記下フレームの各角部が載置される受部材が設けられ、上フレームの内側に下フレームが嵌り込む大きさとした。
【考案の効果】
【０００７】
本考案に係る収納ケースは、不使用時には折り畳んで厚さを小さくできると共に、使用時には簡単な組み立て操作で大きな収納スペースを創り出すことができ、しかも、Ｕの字状のフック部と、該Ｕの字の一方の上端から側方に向かって伸びる伸張部とが一体形成されてなるロック部材が、各コーナーを挟むように取り付けられていることにより、組み立て時に支持フレームの確実な装着がなされると共に、下フレームがしっかりと保持されて形崩れすることがないなどの効果を奏するものである。
【考案を実施するための最良の形態】
【０００８】
以下、本実施の形態における収納ケースについて説明する。
【０００９】
図１は、本考案の収納ケースの第１の実施形態を示した斜視図である。図２は、本考案の収納ケースの分解斜視図である。図３は、本考案の収納ケースの折り畳んだ状態を示した斜視図である。図４は、本考案の収納ケースの組み立て時の状態を示した断面図である。図５は、本考案の収納ケースの枠体を組み立てた状態の斜視図である。図６は、本考案の収納ケースの第２の実施形態を示した斜視図である。図７は、本考案の収納ケースの第２の実施形態の使用状態を示した参考図である。
【００１０】
本考案の収納ケースは、被覆ケース１及び枠体２で構成される。
【００１１】
被覆ケース１は、布材などの軟性の材質を有する素材からなり、長方形又は正方形の底壁部１１と、該底壁部の四方を囲み形成される相対する左右の側壁部１２、前側壁部１３及び後側壁部１４と、該後側壁部上端に折り曲げ可能に連接した上壁部１５とからなると共に、上壁部１５と左右の側壁部１２及び前側壁部１３との接合部には着脱手段としてスライドファスナー（図示せず）が設けられ、上壁部１５が開閉可能となっている。被覆ケース１をこのように構成することで、不使用時における折り畳みを容易に行えるほか、プラスチック製や皮製の素材を使用した時よりケース内の通気性を保つことができる。
【００１２】
枠体２は、剛性を有する適宜な直径の金属棒を湾折して形成した上フレーム２１、支持フレーム２２及び下フレーム２３で構成される。上フレーム２１の内周寸法は下フレーム２３の外周寸法よりも大きく、下フレーム２３が上フレーム２１の内側に嵌り込む大きさに形成されている。
【００１３】
上フレーム２１は、左右側辺２１ａと前後辺２１ｂとで四角形に形成したもので、被覆ケース１の内側面の上端縁部内周に沿って装着される。したがって、左右側辺２１ａの長さは左右の側壁部１２の水平方向の長さに、前後辺２１ｂの長さは前側壁部１３及び後側壁部１４の水平方向の長さにほぼ等しく形成される。
【００１４】
上フレーム２１の被覆ケース１への装着手段としては、本実施例のように、左右の側壁部１２の上端縁部に設けたフックループファスナー１２ａにより左右側辺２１ａを固着する方法が、着脱を容易に行うことができる点で好ましいが、特にこれに限定されるものではなく、例えば、左右の側壁部１２の上端に被覆片を連結し、該被覆片を折り畳んで左右側辺２１ａに包覆した後、縫合する方式でも良い。
【００１５】
さらに、上フレーム２１の各コーナーには、収納ケースを積み重ねて使用する際に、下フレーム２３の各角部の載置部となる受部材２１ｃが設けられている。本実施例において、受部材２１ｃは、下フレーム２３の角部を挟み込んで固定できるように、棒部材の両端を湾折して凹状に形成し、これを上フレーム２１の各コーナーに上向きに開口してはすかい状に設けている。これにより、上壁部１５が上に積み重ねた収納ケースの重量で凹んで形崩れするのを防止することができる。なお、受部材の形状及び設置の方法が上記のものに限定されないことは当然である。
【００１６】
支持フレーム２２は、回動軸となる上フレーム２１の左右側辺２１ａに両端を枢支された上向きに開口したコの字状に形成されてなり、並行する２辺の長さは、被覆ケース１の伸張状態における深さとほぼ同じかやや長く形成されている。この支持フレーム２２を後述の方法により、底壁部１１に対して略垂直状態に固定することにより、軟性の素材からなる被覆ケース１をボックス状に張設し、かつ、十分な強度で保形することができる。なお、本実施例では、支持フレーム２２の左右側辺２１ａに平行な水平部において、中央部分が切欠きされているが、こうしておけば、収納ケースを組み立てる際に支持フレーム２２を掴みやすくなり便利である。
【００１７】
支持フレーム２２を左右側辺２１ａに枢設する手段としては、本実施例のように、左右側辺２１ａの両端寄り下面に連接したブッシングなどの管材に、支持フレーム２２の両端を挿通する方法が部品制作上も簡便で好ましいが、支持フレーム２２が円滑に回動し、かつ、回動軸方向及び周方向へのブレを少なくできるものであれば特に上記の方法に限定されるものではない。
【００１８】
下フレーム２３は、左右側辺２３ａと前後辺２３ｂとで四角形に形成したもので、被覆ケース１の内側面の底部内周に沿って載置される。したがって、左右側辺２３ａの長さは左右の側壁部１２の水平方向の長さに、前後辺２３ｂの長さは前側壁部１３及び後側壁部１４の水平方向の長さにほぼ等しく形成される。
【００１９】
さらに下フレーム２３の各コーナーには、Ｕの字状のフック部２４ａと、該Ｕの字の一方の上端から側方に向かって伸びる伸張部２４ｂとが一体形成されてなるロック部材２４が、Ｕの字状のフック部２４ａが左右側辺２３aに上向きに開口して固着されると共に、伸張部２４ｂの先端が前後辺２３ｂに固着されて、はすかい状に取り付けられている。上記の方法でロック部材２４を下フレーム２３に取り付けた場合、伸張部２４ｂは、左右の側壁部１２の方向に向かうにつれて漸次上向きに傾斜して形成される。
【００２０】
ロック部材２４は、支持フレーム２２を底壁部１１に対して略垂直状態に固定するロック機能を備えるもので、本考案の収納ケースの組み立ては、図４に示すとおり、支持フレーム２２が伸張部２４ｂと摺接した後、Ｕの字状のフック部２４ａに嵌合して固定するまで、支持フレーム２２を下方向きに回動させて行う。本実施例のように、伸張部２４ｂを左右の側壁部１２の方向に向かうにつれて漸次上向きに傾斜して形成しておけば、支持フレーム２２と伸張部２４ｂの摺接時における接触部分が変化するので、該部分の塗装が剥がれにくくなり、ロック部材２４の強度が低下するのを防止することができると共に、支持フレーム２２とフック部２４ａとのロックも強固ではずれにくいものとなる。
【００２１】
さらに、ロック部材２４は、下フレーム２３の耐性を高めると共に、収納ケース全体の保持強度を高める機能をも並有する。即ち、ロック部材２４を下フレーム２３の各コーナーにはすかい状に設けることにより、単に、左右側辺２３ａ又は前後辺２３ｂに平行な棒状のロック部材を複数本並べて設けたり、あるいは、相対する左右側辺２３ａ及び前後辺２３ｂの中心を結んで形成した直交する２本の棒状のロック部材を設けたりした場合に比して、特に水平方向のねじれに対する耐性が増す。また、最も積載物の重量が掛る底壁部１１の中央付近にロック部材２４が位置していないため、ロック部材２４がたわんで支持フレーム２２の固定が解除されてしまうおそれが少ない。
【００２２】
次に、図６は本考案の第２の実施形態である収納ケースの斜視図である。
【００２３】
第２の実施形態では、第１の実施形態の構成に加えて、前側壁部１３と左右の側壁部１２との接合部にもスライドファスナー（図示せず）を設け、上壁部１５のほかに前側壁部１３も開閉可能となっている。この構成によれば、図７に示すとおり、収納ケースを積み重ねてラックのように使用している場合に、上に積み重ねた収納ケースをそのままに、下の収納ケースへの物の出し入れが可能となる。
【図面の簡単な説明】
【００２４】
【図１】本考案の収納ケースの第１の実施形態を示した斜視図である。
【図２】本考案の収納ケースの分解斜視図である。
【図３】本考案の収納ケースの折り畳んだ状態を示した斜視図である。
【図４】本考案の収納ケースの組み立て時の状態を示した断面図である。
【図５】本考案の収納ケースの枠体を組み立てた状態の斜視図である。
【図６】本考案の収納ケースの第２の実施形態を示した斜視図である。
【図７】本考案の収納ケースの第２の実施形態の使用状態を示した参考図である。
【符号の説明】
【００２５】
１    被覆ケース
２    枠体
２１  上フレーム
２２  支持フレーム
２３  下フレーム
２４  ロック部材
【図１】
0003140960.tif 000003
【図２】
0003140960.tif 000004
【図３】
0003140960.tif 000005
【図４】
0003140960.tif 000006
【図５】
0003140960.tif 000007
【図６】
0003140960.tif 000008
【図７】
0003140960.tif 000009